(57)【要約】【課題】利用者が表示画面に向き合った状態で、下方向から電源ケーブルを接続部に接続することができる表示装置を提供する。【解決手段】表示モジュール１０を収容する空間を形成する一方のキャビネットである背面キャビネット３０に開口部３１を設ける。そして、その開口部３１を通じて表示モジュール１０に電源を供給する電源ケーブルを下方向から接続するための接続部６１を、表示モジュール１０に固定された支持部材６０に設ける。これにより、利用者は、表示画面に向き合った状態で、下方向から電源ケーブルを接続部６１に挿入して接続することができる。また、電源ケーブルに応力が作用した場合であっても、接続部６１が表示モジュール１０に支持される支持部材６０に設けられていることから、接続部６１ががたついたり、破損したりすることはない。【選択図】図５
2007102170.tif 000002
【特許請求の範囲】
【請求項１】
前面キャビネット及び背面キャビネットによって形成される空間に表示モジュールが収容された表示装置において、
前記背面キャビネットに開口部が設けられ、
前記表示モジュールの背面キャビネット側に支持される支持部材を備え、
該支持部材は、前記開口部を通じて前記表示モジュールに電源を供給する電源ケーブルを下方向から接続するための接続部を有すること
を特徴とする表示装置。
【請求項２】
前記開口部の表示モジュール収容側に配置された蓋部を備え、
前記蓋部は、
放熱のための複数の放熱口と、
前記接続部に対応する領域に配置された接続口と
を有することを特徴とする請求項１に記載の表示装置。
【請求項３】
前記蓋部は、
前記背面キャビネットと係合するための爪部を有すること
を特徴とする請求項２に記載の表示装置。
【請求項４】
前記蓋部は、
前記背面キャビネットと係合するための爪部と、
前記背面キャビネットと係合した状態で該背面キャビネットと拘止するための拘止部と
を有することを特徴とする請求項２に記載の表示装置。
【請求項５】
前記爪部は、
前記背面キャビネットの開口部の縁と係合するようにしてあること
を特徴とする請求項３又は請求項４に記載の表示装置。
【請求項６】
前記電源ケーブルによって供給される電源の電圧を変換する変圧回路を備え、
該変圧回路の近傍に前記開口部が配置されていること
を特徴とする請求項１乃至請求項５のいずれか１つに記載の表示装置。
【発明の詳細な説明】
【技術分野】
【０００１】
本発明は、前面キャビネット及び背面キャビネットによって形成される空間に表示モジュールが収容された表示装置に関し、表示モジュールに電源を供給する電源ケーブルの接続作業が極めて簡単で、また表示モジュールに生じた熱を効率良く放熱することができ、熱による表示モジュールの誤動作などを防止することができる表示装置に関する。
【背景技術】
【０００２】
近年、様々な表示装置が実用化されているが、表示装置の一種である液晶表示装置は、小型、薄型、低消費電力を特徴とし、近年ではその表示品位の向上により、従来のＣＲＴに替わるディスプレイとして普及しつつある（例えば特許文献１参照。）。
【０００３】
表示装置は、前面キャビネット及び背面キャビネットによって形成される空間に表示モジュールが収容された構成をなし、背面キャビネットに設けられた電源ケーブル接続部（以下、単に接続部）に電源ケーブルを接続することによって表示モジュールに電源を供給する。
【特許文献１】特開２００４−５３７４９号公報
【発明の開示】
【発明が解決しようとする課題】
【０００４】
しかしながら、背面キャビネットに対して垂直方向から電源ケーブルを接続部に接続することから、利用者は、一旦、背面キャビネット側に回って接続部の位置を確認したうえで、電源ケーブルを接続部に接続する必要があった。薄型の表示装置は、ＣＲＴと比較して軽量であることから、リビングルームで利用した後に、電源ケーブルを取り外し、ベッドルームに持ち込んで映像を楽しむような利用が可能である。したがって、電源ケーブルを接続するための作業に利用者が手間取るような構成では、薄型の表示装置の長所であるポータビリティが生かされないという問題があった。
【０００５】
また、表示装置を大画面化した場合には、当然の如く表示モジュールに供給する電源電力が増大し、それに伴って発生する熱によって、前面キャビネット及び背面キャビネットによって形成される空間内が高温状態になる。表示モジュールは、液晶パネル及び液晶パネルの背面側に設けられたバックライト装置などからなるモジュールであり、液晶パネル及びバックライト装置の動作に必要な各種ユニット、例えば、制御部、チューナ部、液晶駆動ユニット、点灯回路ユニット、電源ユニットなどもモジュールとして一体化されている。したがって、空間内が高温になれば、液晶の電気光学特性が変化してしまうことに加えて、各種ユニットの動作に悪影響が発生する虞があり、発生した熱を効率的に放熱する構造が必要である。
【０００６】
本発明は斯かる事情に鑑みてなされたものであり、利用者が表示画面に向き合った状態で、下方向から電源ケーブルを接続部に接続することができる表示装置の提供を目的とする。
【０００７】
また本発明は、表示モジュールに生じた熱を放熱口を通じて放熱することができ、熱による表示モジュールの誤動作などを防止することができる表示装置の提供を目的とする。
【課題を解決するための手段】
【０００８】
本発明に係る表示装置は、前面キャビネット及び背面キャビネットによって形成される空間に表示モジュールが収容された表示装置において、前記背面キャビネットに開口部が設けられ、前記表示モジュールの背面キャビネット側に支持される支持部材を備え、該支持部材は、前記開口部を通じて前記表示モジュールに電源を供給する電源ケーブルを下方向から接続するための接続部を有することを特徴とする。
【０００９】
本発明にあっては、表示モジュールを収容する空間を形成する一方のキャビネットである背面キャビネットに開口部を設ける。そして、その開口部を通じて表示モジュールに電源を供給する電源ケーブルを下方向から接続するための接続部を、表示モジュールの背面キャビネット側に支持される支持部材に設ける。これにより、利用者は、表示画面に向き合った状態で、下方向から電源ケーブルを接続部に挿入して接続することができる。また、電源ケーブルに応力が作用した場合であっても、表示モジュールに支持される支持部材に接続部が設けられていることから、接続部ががたついたり、破損したりすることはない。
【００１０】
本発明に係る表示装置は、前記開口部の表示モジュール収容側に配置された蓋部を備え、前記蓋部は、放熱のための複数の放熱口と、前記接続部に対応する領域に配置された接続口とを有することを特徴とする。
【００１１】
本発明にあっては、背面キャビネットに設けた開口部の表示モジュール収容側に、放熱のための複数の放熱口と、接続部に対応する領域に配置された接続口とを有する蓋部を設ける。これにより、前面キャビネット及び背面キャビネットを取り付けた後に、接続口が接続部の対応領域の位置となるように配置して、蓋部を背面キャビネットに取り付けることができる。表示モジュールに生じた熱は放熱口を通じて放熱され、また、接続口を通じて電源ケーブルを接続部に接続することができる。
【００１２】
本発明に係る表示装置は、前記蓋部が前記背面キャビネットと係合するための爪部を有することを特徴とする。
【００１３】
本発明にあっては、蓋部に背面キャビネットと係合するための爪部を設ける。これにより、爪部によって蓋部を簡単に背面キャビネットに係合することができる。また、例えば、蓋部が樹脂成型品である場合には、簡単に蓋部に爪部を形成することができる。
【００１４】
本発明に係る表示装置は、前記蓋部が前記背面キャビネットと係合するための爪部と、前記背面キャビネットと係合した状態で該背面キャビネットと拘止するための拘止部とを有することを特徴とする。
【００１５】
本発明にあっては、蓋部に爪部と拘止部とを設ける。これにより、爪部によって蓋部を簡単に背面キャビネットに係合し、蓋部と背面キャビネットとが係合した状態で拘止部によって蓋部を簡単に背面キャビネットに拘止する。これにより、蓋部が背面キャビネットに対してがたつくことはない。
【００１６】
本発明に係る表示装置は、前記爪部が前記背面キャビネットの開口部の縁と係合するようにしてあることを特徴とする。
【００１７】
本発明にあっては、背面キャビネットの開口部の縁に蓋部に設けた爪部を係合させる。これにより、爪部が目立つことはなく、デザインへの影響を極力抑えることができる。
【００１８】
本発明に係る表示装置は、前記電源ケーブルによって供給される電源の電圧を変換する変圧回路を備え、該変圧回路の近傍に前記開口部が配置されていることを特徴とする。
【００１９】
本発明にあっては、電源ケーブルによって供給される電源の電圧を変換する変圧回路が設けられている場合、その変圧回路が熱源となることから、変圧回路の近傍に開口部を配置する。これにより、変圧回路によって生じた熱を、背面キャビネットに設けた開口部を通じて、前面キャビネット及び背面キャビネットによって形成される空間の外部へ放熱することができる。
【発明の効果】
【００２０】
本発明によれば、利用者は、表示画面に向き合った状態で、下方向から電源ケーブルを接続部に挿入して接続することができ、接続作業が極めて簡単になる。これにより、利用者は、リビングルームで利用した後に、電源ケーブルを取り外し、ベッドルームに持ち込んで映像を楽しむような利用を気楽に行なえ、薄型の表示装置の長所であるポータビリティを十分に活用することができる。また、電源ケーブルに応力が作用した場合であっても、接続部が表示モジュールに支持される支持部材に設けられていることから、接続部ががたつくことはなく、接続部の破損を防止することができる。
【００２１】
本発明によれば、表示モジュールに生じた熱を放熱口を通じて放熱することができることから、大画面の表示装置であっても、表示モジュールにて発生した熱を効率良く放熱することができる。
【００２２】
本発明によれば、爪部によって蓋部を簡単に背面キャビネットに係合することができる。また、例えば、蓋部が樹脂成型品である場合には、簡単に爪部を蓋部に形成することができる。
【００２３】
本発明によれば、爪部によって蓋部を簡単に背面キャビネットに係合し、蓋部と背面キャビネットとが係合した状態で拘止部によって蓋部を簡単に背面キャビネットに拘止することができ、これにより、蓋部が背面キャビネットに対してがたつくことを防止できる。
【００２４】
本発明によれば、背面キャビネットの開口部の縁に蓋部に設けた爪部を係合させた場合には、爪部が目立つことはなく、表示装置のデザインへの影響を極力抑えることができる。
【００２５】
本発明によれば、変圧回路の近傍に開口部を配置することによることにより、熱源としての変圧回路によって生じた熱を、背面キャビネットに設けた開口部を通じて、前面キャビネット及び背面キャビネットによって形成される空間の外部へ放熱することができる。したがって、熱による表示モジュールの誤動作を防止することができる等、優れた効果を奏する。
【発明を実施するための最良の形態】
【００２６】
以下、本発明をその実施の形態を示す図面に基づいて詳述する。
【００２７】
図１は本発明に係る表示装置の外観を示す前面側斜視図、図２は本発明に係る表示装置の外観を示す背面側斜視図、図３は本発明に係る表示装置の背面キャビネットの外観を示す斜視図である。
【００２８】
本発明に係る表示装置においては、図１に示すように、表示モジュール１０が前面キャビネット２０及び背面キャビネット３０によって形成された空間内に配置されている。前面キャビネット２０には枠部２０ａが設けてあり、枠部２０ａを通じて画像表示が行なわれる。また、中央下側にはブーメラン状のスタンド４０が設けられている。なお、スタンド４０は表示装置の重量を支持できるように高強度な金属で形成されている。
【００２９】
また、図２及び図３に示すように、背面キャビネット３０の中央下部には蓋部７０が設けられている。蓋部７０の詳細は後述するが、利用者が表示画面に向き合った状態で、下方向から電源ケーブルを接続できるようになしてあるとともに、放熱のための複数の放熱口が設けられており、前面キャビネット２０及び背面キャビネット３０によって形成された空間内で発生する熱を効率良く放熱させるためのものである。
【００３０】
図４は本発明に係る表示装置の内部構成を示す背面側斜視図であり、本発明の特徴がわかるように背面キャビネットの一部を切断した状態を示す。
【００３１】
表示モジュール１０は、液晶パネル及び液晶パネルの背面側に設けられたバックライト装置などからなるモジュールであり、液晶パネル及びバックライト装置の動作に必要な各種ユニット、例えば、制御部１１、チューナ部１２、液晶駆動ユニット１３、第１点灯回路ユニット１４ａ、第２点灯回路ユニット１４ｂ、電源ユニット１５などが表示モジュール１０の背面に設けられている。なお、表示装置を立てた状態での重量バランスを考慮して、上述した各種ユニットの配置位置が決められる。
【００３２】
液晶駆動ユニット１３は映像信号を液晶パネルに与えるものであるから、横方向の位置が中央に液晶駆動ユニット１３を配置することが好ましく、本例では中央上部の位置に配置されている。これは、映像の品位に直接的に影響を及ぼすデータ信号を左右対称な位置から与えることが好ましいことによる。もちろん、液晶駆動ユニット１３が中央下部の位置に配置されていてもよい。
【００３３】
チューナ部１２は、制御部１１と接続する必要があることから、制御部１１の近傍に配置される。本例では、制御部１１の下側にチューナ部１２を配置する。
【００３４】
第１点灯回路ユニット１４ａ及び第２点灯回路ユニット１４ｂは、光源としての放電管を点灯させるためのものであり、放電管の両端部それぞれに対応する位置に配置される。本例では、第１点灯回路ユニット１４ａを左端部に、第２点灯回路ユニット１４ｂを右端部にそれぞれ配置する。
【００３５】
電源ユニット１５は、電源ケーブルによって供給される電源の電圧を変換する変圧回路を備えており、各種ユニットに必要な電圧に変圧した電源を各種ユニットに供給する。本例では、上述した各ユニットの配置位置による重量バランスを考慮して、液晶駆動ユニット１３と第２点灯回路ユニット１４ｂとの間の領域に配置する。
【００３６】
図５は本発明に係る表示装置の要部を拡大表示した拡大図であり、蓋部を取り外した状態を示す。
背面キャビネット３０の電源ユニット１５の近傍（ここでは中央下部）には平面視が長方形の開口部３１が設けられている。これは、開口部３１を電源ユニット１５の近傍に設けることにより、電源ユニット１５によって発生する熱を効率良く放熱させるためである。
【００３７】
表示モジュール１０の背面キャビネット側には、支持部材６０がネジ止めによって表示モジュール１０に固定されている。支持部材６０には、開口部３１を通じて電源ケーブルを下方向から接続するための接続部６１が設けられている。また、背面キャビネット３０の開口部３１の周縁には蓋部７０をネジによって係止するためのネジ穴３２，３２，…が設けられている。
【００３８】
図６は本発明に係る表示装置の要部を拡大表示した拡大図であり、蓋部を取り付けた状態を示す。
開口部３１の表示モジュール１０の収容側に蓋部７０が取り付けられる。蓋部７０は、成形が容易な樹脂成型品であり、放熱のための複数の放熱口７１，７１，…と、接続部６１に対応する領域に配置された接続口７２とを有する。電源ケーブル５０は表示モジュール１０に電源を供給する線材であって、電源ケーブル５０の一端にはコネクタ５１が設けられている。接続口７２を通じて、コネクタ５１を接続部６１に接続することによって表示モジュール１０に電源が供給される。
【００３９】
また、蓋部７０の両側端部には、爪部７３，７３，…が各端部の外向きに設けられ、背面キャビネット３０の開口部３１の縁と係合されている。さらに、蓋部７０には、背面キャビネット３０と拘止するための拘止部としての貫通穴７４，７４が設けられ、ネジ止めによって蓋部７０が背面キャビネット３０に拘止されている。
【００４０】
図７及び図８は本発明に係る表示装置における蓋部の背面キャビネットへの取付方法を説明するための図である。図７及び図８は背面キャビネット３０の内側からの斜視図であって、図７は背面キャビネット３０の開口部３１に蓋部７０を配置しようとしている状態を示しており、図８は背面キャビネット３０の開口部３１に蓋部７０を配置した状態を示している。
【００４１】
図７及び図８のように、蓋部７０に設けた爪部７３，７３，…を背面キャビネット３０の開口部３１の縁と係合した状態で、ネジ８０を貫通穴７４を通じて背面キャビネット３０のネジ穴３２に係止することによって蓋部７０を背面キャビネット３０に拘止する。
【００４２】
ここで、図７の状態から図８の状態へ移行する方法についてさらに説明する。蓋部７０に設けた突起部７５，７５によって、蓋部７０の図中上方向への移動（スライド）を規制することができる。そして、この規制のもとで、蓋部７０を図８の矢印Ｚの方向へスライドさせて、爪部７３を背面キャビネット３０の開口部３１の縁に係合させる。
【００４３】
以上の構成の表示装置においては、接続部６１が下方向に向いていることから、利用者は、表示画面に向き合った状態で、下方向から電源ケーブル５０を接続部５１に挿入して接続することができる。したがって、利用者は、リビングルームで利用した後に、電源ケーブル５０を取り外し、ベッドルームに持ち込んで映像を楽しむような利用を気楽に行なえ、薄型の表示装置の長所であるポータビリティを十分に活用することができる。
【００４４】
また、接続部６１が表示モジュール１０に支持される支持部材６０に設けられていることから、電源ケーブル５０に応力が作用した場合であっても、接続部６１ががたつくことはなく、接続部６１の破損を防止することができる。
【００４５】
さらに、表示モジュール１０に生じた熱を蓋部７０に設けた放熱口７１を通じて効率良く放熱することができる。例えば、熱源としての電源ユニット１５の近傍に開口部３１を設け、その開口部３１に適合するように蓋部７０を設けることによって、電源ユニット１５によって発生した熱を効率良く放熱することができる。もちろん、開口部３１を設ける位置は、これに限定されるものではなく、品種によって適宜決定すればよい。
【００４６】
さらにまた、爪部７３によって蓋部７０を簡単に背面キャビネット３０に係合し、蓋部７０と背面キャビネット３０とが係合した状態で蓋部７０を簡単に背面キャビネット３０に拘止することができ、取付作業が極めて簡単である。また、背面キャビネット３０の開口部３１の縁に、爪部７３を係合させた場合には、爪部７３が目立つことはない。
【００４７】
なお、液晶パネル及びバックライト装置の動作に必要な各種ユニットの配置位置については、実施の形態にて説明した配置位置に限定されるものではなく、各種ユニットの配置位置に応じて、背面キャビネット３０に設ける開口部３１の位置を適宜設計することが可能である。以上、本発明に係る表示装置について、具体的な実施の形態を示して説明したが、本発明はこれらに限定されるものではない。当業者であれば、本発明の要旨を逸脱しない範囲内において、上述した実施の形態に係る発明の構成及び機能に様々な変更又は改良を加えることが可能である。
【図面の簡単な説明】
【００４８】
【図１】本発明に係る表示装置の外観を示す前面側斜視図である。
【図２】本発明に係る表示装置の外観を示す背面側斜視図である。
【図３】本発明に係る表示装置の背面キャビネットの外観を示す斜視図である。
【図４】本発明に係る表示装置の内部構成を示す背面側斜視図である。
【図５】本発明に係る表示装置の要部を拡大表示した拡大図である。
【図６】本発明に係る表示装置の要部を拡大表示した拡大図である。
【図７】本発明に係る表示装置における蓋部の背面キャビネットへの取付方法を説明するための図である。
【図８】本発明に係る表示装置における蓋部の背面キャビネットへの取付方法を説明するための図である。
【符号の説明】
【００４９】
１０  表示モジュール
２０  前面キャビネット
３０  背面キャビネット
３１  開口部
１５  電源ユニット
５０  電源ケーブル
５１  コネクタ
６０  支持部材
６１  接続部
７０  蓋部
７１  放熱口
７２  接続口
７３  爪部
７４  貫通穴
【図１】
2007102170.tif 000003
【図２】
2007102170.tif 000004
【図３】
2007102170.tif 000005
【図４】
2007102170.tif 000006
【図５】
2007102170.tif 000007
【図６】
2007102170.tif 000008
【図７】
2007102170.tif 000009
【図８】
2007102170.tif 000010